(57)【要約】      （修正有）【課題】晴天や強風などの天候の状態に応じて被貼付物への貼付形態が変えられる表示ラベルおよび表示ラベルの貼付け方法を提供することを目的とする。【解決手段】幅方向Ｗに切込まれた第一のスリットＳ１により第一のラベル本体、および第二のラベル本体に分離可能に区画・形成されたラベル本体と、第一のラベル本体の端部付近の幅方向にわたって形成された第二のスリットＳ２と、第二のスリット寄りに幅方向にわたって形成された第三のスリットＳ３と、第二および第三のスリット間にわたる左右側端部に形成された第四および第五のスリットＳ４、Ｓ５と、スリットにより区画・形成された複数の切離し部Ｐと、を備え、スリットＳに沿って切離し部Ｐを剥がすと粘着剤層が露呈する。【選択図】図２
2007094162.tif 000002
【特許請求の範囲】
【請求項１】
台紙と、
この台紙の上に積層された粘着剤層と、
この粘着剤層を介して積層されるとともに表面に表示面が形成されたラベル本体と、を備えた表示ラベルにおいて、
前記ラベル本体は、
幅方向に切込まれた第一のスリットにより第一のラベル本体、および第二のラベル本体に分離可能に区画・形成され、また、
前記台紙は、
前記第一のラベル本体の端部付近の幅方向にわたって形成された第二のスリットと、
前記表示面側に形成された第一のスリットより前記第二のスリット寄りに幅方向にわたって形成された第三のスリットと、
前記第二および第三のスリット間にわたる左右側端部に形成された第四および第五のスリットと、
前記スリットにより区画・形成された複数の切離し部と、を備え、
前記スリットに沿って切離し部を剥がすと前記粘着剤層が露呈することを特徴とする表示ラベル。
【請求項２】
前記ラベル本体の表面には、可変情報が印字可能とされることを特徴とする請求項１に記載の表示ラベル。
【請求項３】
台紙と、
この台紙の上に積層された粘着剤層と、
この粘着剤層を介して積層されるとともに表面に表示面が形成され、かつ、幅方向にわたって切込まれた第一のスリットにより第一のラベル本体および第二のラベル本体に分離可能に区画・形成されたラベル本体と、
前記第一のラベル本体裏面の台紙における端部付近の幅方向にわたって形成された第二のスリットと、
前記第二のスリットに交差して形成された折曲げガイド線と、
前記第一のスリット近辺における第一のラベル本体の台紙側に前記第一のスリットとほぼ平行に形成された第三のスリットと、
前記第二および第三のスリット間にわたる左右側端部に形成された第四および第五のスリットと、
前記スリットにより分離可能に区画・形成された複数の切離し部と、を備え、
前記第一のスリットに沿って第二のラベル本体を分離するとともに、前記第二ないし第五のスリットに沿って所望の切離し部を選択的に剥離して所望箇所の前記粘着剤層を露呈して被貼付物に貼付して表示することを特徴とする表示ラベルの貼付け方法。
【請求項４】
前記第二のスリットに沿って形成された切離し部は、台紙側に注意などのメッセージが印字されたメッセージ部を備え、切離し部を前記折曲げガイド線まで剥離して前記折曲げガイド線にて折り返し、前記剥離して露呈した粘着剤層を介して被貼付物に貼付して表示した際、前記メッセージ部が前記第一のラベル本体より突出して表示されることを特徴とする請求項３に記載の表示ラベルの貼付け方法。
【発明の詳細な説明】
【技術分野】
【０００１】
本発明は、特に、駐車違反車両に貼付して警告表示する際、天候の状況に応じて貼付けパターンを変更可能な表示ラベルおよび表示ラベルの貼付け方法に関する。
【背景技術】
【０００２】
従来、駐車違反車両に対して警告を表示する方法としては、駐車違反表示具を使った方法が知られている。
この駐車違反表示具による方法によれば、駐車違反表示ケース内に収納した警告表示を固定具にて係止部を挟着することによって自動車のサイドミラーなどに取り付けて表示するようになっている（例えば、特許文献１参照）。
しかしながら、このような特許文献１の表示では、固定具を必要とするため取付け・表示が面倒で時間が掛かり、かつ、係止部を備えていて駐車違反表示具がかさばるため、多くを持ち歩けず、さらに、駐車違反表示ケース内に違反状況、すなわち、違反日時、違反場所、連絡先などの可変情報を表示しにくいという問題があるばかりか、作製費用（コスト）が高価にも拘らず違反者に壊されてリサイクルに役立つ率が低いという問題がある。
【０００３】
上記の問題点を回避するため、近年においてはラベルやステッカを使った警告表示が行われているが、剥がれにくいよう裏面を強い粘着力の接着剤で作製した上、裏面全面の接着剤を使って自動車のフロントガラスに貼り付けるため、剥がれにくく、また、剥がしたあとに接着剤が残り易く、車両所有者に不満が残るという問題があった。
【特許文献１】実開平４−７４１５５号公報
【発明の開示】
【発明が解決しようとする課題】
【０００４】
本発明は、上記の問題点に着目して成されたものであり、晴天や強風などの天候の状態に応じて被貼付物への貼付形態が変えられる表示ラベルおよび表示ラベルの貼付け方法を提供することを目的とする。
【課題を解決するための手段】
【０００５】
請求項１に記載の表示ラベルは、台紙と、この台紙の上に積層された粘着剤層と、この粘着剤層を介して積層されるとともに表面に表示面が形成されたラベル本体と、を備えた表示ラベルにおいて、前記ラベル本体は、幅方向に切込まれた第一のスリットにより第一のラベル本体、および第二のラベル本体に分離可能に区画・形成され、また、前記台紙は、前記第一のラベル本体の端部付近の幅方向にわたって形成された第二のスリットと、前記表示面側に形成された第一のスリットより前記第二のスリット寄りに幅方向にわたって形成された第三のスリットと、前記第二および第三のスリット間にわたる左右側端部に形成された第四および第五のスリットと、前記スリットにより区画・形成された複数の切離し部と、を備え、前記スリットに沿って切離し部を剥がすと前記粘着剤層が露呈することを特徴とする。
また、ラベル本体の表面には、可変情報が印字可能なようにできる。
さらに、請求項３に記載の表示ラベルの貼付け方法は、台紙と、この台紙の上に積層された粘着剤層と、この粘着剤層を介して積層されるとともに表面に表示面が形成され、かつ、幅方向にわたって切込まれた第一のスリットにより第一のラベル本体および第二のラベル本体に分離可能に区画・形成されたラベル本体と、前記第一のラベル本体裏面の台紙における端部付近の幅方向にわたって形成された第二のスリットと、前記第二のスリットに交差して形成された折曲げガイド線と、前記第一のスリット近辺における第一のラベル本体の台紙側に前記第一のスリットとほぼ平行に形成された第三のスリットと、前記第二および第三のスリット間にわたる左右側端部に形成された第四および第五のスリットと、前記スリットにより分離可能に区画・形成された複数の切離し部と、を備え、前記第一のスリットに沿って第二のラベル本体を分離するとともに、前記第二ないし第五のスリットに沿って所望の切離し部を選択的に剥離して所望箇所の前記粘着剤層を露呈して被貼付物に貼付して表示することを特徴とする。
また、第二のスリットに沿って形成された切離し部は、台紙側に注意などのメッセージが印字されたメッセージ部を備え、切離し部を折曲げガイド線まで剥離して折曲げガイド線にて折り返し、剥離して露呈した粘着剤層を介して被貼付物に貼付して表示した際、メッセージ部が第一のラベル本体より突出して表示されるようにできる。
【発明の効果】
【０００６】
第１の発明に係る表示ラベルは、第一のスリットにより第一および第二のラベル本体に分離可能に区画・形成されているので、被貼付物に第一のラベル本体を貼り、控として第二のラベル本体を保管することができる。
さらに、台紙の縦横に第二ないし第五のスリットが切込まれ、前記スリットにより複数の切離し部が区画・形成されるので、スリットに沿って切離し部を剥がすことにより所望の位置の粘着剤層を露呈できる。
また、ラベル本体の表示面を、可変情報が印字できるようにすれば、種種の可変情報の表示ができる。
また、第２の発明に係る表示ラベルの貼付け方法は、台紙の縦横に第二ないし第五のスリットが切込まれ、前記スリットにより複数の切離し部が区画・形成され、スリットに沿って切離し部を選択的に切離すことにより所望の位置および所望の面積の粘着剤層を露呈して被貼付物に貼付けることができるので、屋外で用いた場合、晴天時または強風などの悪天候時における貼付け・表示形態が選択的に変えられるものである。
また、台紙に区画・形成された切離し部の一部にメッセージ部を備え、この切離し部を折り返して粘着剤層を露呈し、露呈し粘着剤層を介して被貼付物に貼付・表示した際、メッセージ部が第二のラベル本体より突出して表示されるようにすれば、扱い者に対する注意が喚起できるものである。
【発明を実施するための最良の形態】
【０００７】
以下、本発明の表示ラベルを図１ないし図１１に基づき説明する。
【０００８】
図１は、表示ラベル１として「放置車両認識標章」を例示した図であり、表示ラベル１は、長手方向（図１における縦方向）に連続して連接されている。
同図に示すように、台紙２と、この台紙２より若干小さめなラベル本体３とを備えており、ラベル本体３は第一のスリットＳ１によって第一のラベル本体３ａと、第二のラベル本体３ｂとに分離可能なように区画・形成されている。
第一のラベル本体３ａの表面は、注意を喚起し易いよう斜線の部分が黄色で印刷されるとともに、「駐車違反」の文字４や駐車禁止マーク５などがプレ印刷されている。また、黄色（斜線の部分）以外の白い部分、および「（標章番号）」や「（登録（車両）番号）」などの項目見出し文字に続くエリアは、後述する可変情報の印刷エリア６となっている。
【０００９】
図２は、前記表示ラベル１を裏面の台紙２側から見た図であり、また、図３ないし図５は、図２中、各々矢示ＩＩＩ−ＩＩＩ線、ＩＶ−ＩＶ線、およびＶ−Ｖ線に沿う概略断面図である。
【００１０】
同図に示すように、台紙２の表面側には離型剤層７が形成され、さらに、その上側（図３ないし図５においては下側）に粘着剤層８を介してラベル本体３が積層されている。
【００１１】
台紙２には、主に、図２に示すように第二のスリットＳ２、第三のスリットＳ３、第四のスリットＳ４および第五のスリットＳ５と、第一および第二のミシン目Ｍ１、Ｍ２が形成されている。スリットＳ（Ｓ２ないしＳ５）およびミシン目Ｍとも、台紙２を通して離型剤層７に達するまで切込み成形されている。
なお、１４は、ラベル本体３に対する印字を行う際、位置などの検出用に設けられた識別マークである。
【００１２】
第二のスリットＳ２は、第一のラベル本体３ａの上端部（図２における上端部）近辺において幅方向（矢示Ｗ方向）にわたって形成されており、この第二のスリットＳ２によって第一の切離し部Ｐ１が区画・形成される。また、この切離し部Ｐ１の側端部（図２では左側端部）には、上端部から前記第二のスリットＳ２に至るまで縦に折曲げガイド線９が形成されている。また、切離し部Ｐ１の右側半分くらいにわたって「メッセージ部」としての注意告知文１０（図示の例では、「ゆっくり外して下さい。」の大きめの文字と、「標章のはがし跡が残った場合、除去する際に固い物でこすらないで下さい。硝子に傷が入る可能性があります。」という小文字の表示）が印刷されている。そして、第二のスリットＳ２に沿って台紙２の切離し部Ｐ１を第一のラベル本体３ａより剥がすと、剥がした部分は第一のラベル本体３ａ裏面の粘着剤層８が露呈するようになっており、かつ、折曲げガイド線９まで剥がすと切離し部Ｐ１はこの折曲げガイド線９に沿って表面側に曲折できるようになっており、折曲げガイド線９、上端部および側端部、並びに第二のスリットＳ２にて区画・形成された部分は、切離し部Ｐ１の曲折時には粘着剤層８が露呈することのない「非粘着部１１」となるものである。
また、前記折曲げガイド線９を越えて切離し部Ｐ１を第一のラベル本体３ａより剥がすと、切離し部Ｐ１は、第一のラベル本体３ａに残ることなく切離されて剥がされた状態となる。
【００１３】
同様に第三のスリットＳ３は、第二のスリットＳ２と平行に、第二のスリットＳ２から適宜位置離れて形成されている。より具体的には、第一のラベル本体３ａの裏面、すなわち、前記ラベル本体３を第一および第二のラベル本体３ａ、３ｂに分離可能とした第一のスリットＳ１より前記第二のスリットＳ２寄りに幅方向（矢示Ｗ方向）にわたって形成されている。
【００１４】
また、第四のスリットＳ４は、適宜位置離れて幅方向に形成される前記第二および第三のスリットＳ２、Ｓ３間にわたった図２における右側端部に形成されており、この第四のスリットＳ４と、第二および第三のスリットＳ２、Ｓ３によって第二の切離し部Ｐ２が区画・形成される。また、この切離し部Ｐ２には、注意告知文１２（図示のでは、「強風でラベルが飛びそうな時は、両端をはがして使用して下さい。」という表示）が印刷されている。
【００１５】
第五のスリットＳ５は、前記第四のスリットＳ４と対峙する図２における左側端部の、前記第二および第三のスリットＳ２、Ｓ３間にわたって形成されており、この第五のスリットＳ５と、第二および第三のスリットＳ２、Ｓ３によって第三の切離し部Ｐ３が区画・形成される。
なお、各切離し部（Ｐ２ないしＰ５）は、各スリット（Ｓ２ないしＳ５）に沿って剥がすと、第一のラベル本体３ａに台紙２が残ることなく剥がされ、第一のラベル本体３ａ裏面の粘着剤層８が露呈した状態となる。
【００１６】
さらに、前記左右両側端部に形成された第四および第五のスリットＳ４，Ｓ５間にわたって、かつ、前記第二および第三のスリットＳ２，Ｓ３間において適宜位置離れて第一および第二のミシン目Ｍ１，Ｍ２が形成されており、第二のスリットＳ３、第四および第五のスリットＳ４、Ｓ５、並びに第一のミシン目Ｍ１にて第一の折返し部Ｒ１が、また、第三のスリットＳ３、第四および第五のスリットＳ４、Ｓ５、および第二のミシン目Ｍ２にて第二の折返し部Ｒ２が、おのおの形成され、前記スリットＳ２ないしＳ５に沿って第一または第二の折返し部Ｒ１、Ｒ２を第一の本体３ａより剥がし、ミシン目Ｍ１、Ｍ２に沿って折り返すと、折返し部Ｒ１、Ｒ２部分の台紙２は切り離されることなく台紙２側に折り畳まれ、かつ、折返し部Ｒ１、Ｒ２を剥がしたあとは、第一のラベル本体３ａ裏面の粘着剤層８が露呈するようになっている。
【００１７】
また、第四および第五のスリットＳ４、Ｓ５、並びに第一および第二のミシン目Ｍ１、Ｍ２に囲まれた部分は、第四の切離し部Ｐ４が区画・形成され、この切離し部Ｐ４には、注意告知文１３（図示のでは、「この標章はガラスから外し易く作っておりますが、はがし跡が残る事があります。除去する際には、その跡を固い物でこすらないで下さい。硝子に傷が入る可能性があります。」という表示）が印刷されている。
【００１８】
また、第三のスリットＳ３と表示面側の第一のスリットＳ１とに挟まれた部分は第五の切離し部Ｐ５であり、第一のスリットＳ１に沿って第二のラベル本体３ｂを台紙２ごと切離した際、第一のラベル本体３ａ裏面の下端部の粘着剤層８が露呈するようになっている。
【００１９】
図３ないし図５は、おのおの台紙２に形成された上述したスリットＳおよびミシン目Ｍの位置および切込の状態を示す概略断面図である。
【００２０】
次に、図６に基づき、可変情報を印字した表示ラベル１について説明する。
図６は、図示省略の印字装置にて、路上などの現場において違反状況などの可変情報を印字した表示ラベル１を示す図１相当の図であり、図１における可変情報の印刷エリア６に可変情報を印字したものである。すなわち、同図に示すように、第一のラベル本体３ａには、発行した表示ラベル１の固有の番号である標章番号６ａ、登録（車両）番号６ｂ、前記標章番号６ａなどをコード化したバーコード６ｃ、管轄警察署名６ｄ、取扱者６ｅ、電話番号６ｆ、違反状況６ｇ（日時・場所・態様）などの可変情報を印字するものであり、また、発行者の控である第二のラベル本体３ｂには、前記標章番号６ａ、登録（車両）番号６ｂ、違反状況６ｇと同様の可変情報を印字する。
【００２１】
次に、図７ないし図９を用いて、本発明の表示ラベル１の第１の実施の形態における貼付け方法につき説明する。
図７ないし図９は、駐車違反車両に対し晴天などで風が穏やかな状態時に放置車両確認標章としての表示ラベル１を簡易貼り付けする場合を示す第１の実施の形態の図であり、図７は、第一のスリットＳ１に沿って第二のラベル本体３ｂを剥がした後を台紙側から見た図である。
先ず、表示面側のラベル本体３より、第一のスリットＳ１に沿って台紙２部分を残して控え用である第二のラベル本体３ｂを剥がす。
次に、図７に示すように、表示ラベル１上端部に区画・形成された第一の切離し部Ｐ１の台紙２を剥がしていくと、第一のラベル本体３ａ裏面の粘着剤層８が露呈してくる。引き続き折曲げガイド線９まで剥がし切離し部Ｐ１を折曲げガイド線９に沿って表示面側に曲折すると、上端部の一部に非粘着部１１が残された状態で第一のラベル本体３ａの上端部に粘着剤層８が露呈した状態となる（図８参照）。
図９は、図８の状態の表示ラベル１を車両などのフロントガラス（図示省略）に車外から貼付した状態を示しており、駐車違反車両に対する表示ラベル１の貼付け・表示が、切離し部Ｐ１を折り返しただけの簡単な方法で実現できる上、台紙２が表示ラベル１と図示省略のフロントガラスとの間に挟まれて不要なゴミとならない。さらに、台紙２側に印刷されていた「ゆっくり外してください。」の注意告知文１０が折り返されて表示面側に表示されるため、車両所有者は、注意告知文１０に従ってゆっくりと剥がせばよく、従来、乱暴に剥がすことによって図示省略のフロントガラス表面に粘着剤の跡が残ったという不評の減少が期待できるものである。
なお、本実施の形態においては、控え用の第二のラベル本体３ｂを剥がした後の台紙２を第一のラベル本体３ａに残したままの例で説明したが、これに限定されないことは勿論であり、第二のラベル本体３ｂを控えとして剥がす際、台紙２側の第三のスリットＳ３に沿って第五の切離し部Ｐ５を剥がしてもよく、これにより上端部の第一の切離し部Ｐ１および下端部の第五の切離し部Ｐ５の上下両端部の粘着剤層８で表示ラベル３（３ａ）を貼付け・表示することになって貼付け状態がより安定するものである。
また、上下両端部の粘着剤層８でフロントガラス（図示省略）に表示ラベル１（ラベル本体３ａ）を表示した際、剥がし難くなるが、前記非粘着部１１が台紙２に形成されて残っているため、指を掛ける「つかみ代」となるものである。
【００２２】
次に、図１０に基づき、他の実施の形態につき説明する。
なお、以下において、先の実施の形態と同様の部分は同一符号を付すに止め、詳説を省略する。
先ず、控え用の第二のラベル本体３ｂを第三のスリットＳ３に沿って台紙２ごと剥がし、第五の切離し部Ｐ５の粘着剤層８を露呈する。次いで、第二のスリットＳ２、第四および第五のスリットＳ４、Ｓ５に沿って折返し部Ｒ１を引き起こし、ミシン目Ｍ１に沿って台紙２側へ折返して粘着剤層８を露呈して、フロントガラス（図示省略）に貼付けて表示するものであり、第一のラベル本体３ａ（表示ラベル１）の中央部位と下端部にて貼付けることにより、簡単に貼付け・表示ができ、かつ、上端部の第一の切離し部Ｐ１や左右側端部の第二および第四の切離し部Ｐ２、Ｐ４は台紙２が剥がされないままの「非粘着部」となっているため、剥がす際の「つかみ代」となって剥がし易くなるものである。
また、折返された折返し部Ｒ１の台紙２は、表示ラベル１と図示省略のフロントガラスとの間に挟まれて不要なゴミとならない。
上述したように、台紙２の中央部位の折返し部Ｒ１を折返して粘着剤層６を露呈した状態があたかも、「窓」が開いた状態に見えることから「窓貼り」と称するものである。
その他の構成、作用、効果については、先の実施の形態と略同様につき詳説を省略する。
【００２３】
次に、図１１に基づき、さらに他の実施の形態につき説明する。
なお、以下において、先の実施の形態と同様の部分は同一符号を付すに止め、詳説を省略する。
同図は、「四角貼り」と称する貼付の形態であり、周囲の「切離し部」の台紙２を全て剥がして表示ラベル１（第一のラベル本体３ａ）裏面の粘着剤層８を露呈させた状態を示している。すなわち、先ず、控え用の第二のラベル本体３ｂを第三のスリットＳ３に沿って台紙２ごと剥がして下端部の第五の切離し部Ｐ５の粘着剤層８を露呈し、次いで、第二のスリットＳ２に沿って上端部の第一の切離し部Ｐ１を、また、第四および第五のスリットＳ４、Ｓ５に沿って左右両端部の第二および第四の切離し部Ｐ２、Ｐ４を、各々剥がして粘着剤層８を露呈し図示省略のフロントガラスに貼付けて表示するものであり、表示ラベル１（第一のラベル本体３ａ）の全周の粘着剤層８にて貼り付けることにより、表示ラベル１がパタパタとはためかず、さらに、周囲から水滴が浸入しにくいため、強風時や雨が降りそうなときなどの貼付け・表示に好適である。
しかも、台紙２の中央部位の第一および第二の折返し部Ｒ１、Ｒ２、並びに第四の切離し部Ｐ４は剥がさずに残した状態なので、全面貼付けに比べ剥がし易く、かつ、剥がした後の台紙２には注意告知文１３が残されているので、車両の所有者に対する注意を喚起できる。
その他の構成、作用、効果については、先の実施の形態と略同様につき詳説を省略する。
【００２４】
上述したように、台紙２に対し縦横に切込んだスリットＳおよびミシン目Ｍにより複数の切離し部Ｐおよび折返し部Ｒを区画・形成し、所望の切離し部Ｐを選択的に切離す、あるいは、所望の折返し部Ｒを選択的に折返すことにより、所望の位置および所望の面積の粘着剤層８を露呈して被貼付物としてのフロントガラスに貼付けることができるので、晴天時、かつ、風の弱い穏やかな天候時と、強風などの荒れた天候時における貼付け・表示形態が選択的に変えられるものである。
【００２５】
なお、上記実施の形態の構成及び動作は例であって、本発明の趣旨を逸脱しない範囲で適宜変更することができることは言うまでもない。
【００２６】
例えば、上記実施の形態においては、表示ラベル１として「放置車両認識標章」を例に説明したがこれに限定されないことは勿論であり、電車のドアーやスーパーの扉に表示される「ドアーの開閉にご注意下さい。」というような注意表示用の表示ラベルや物流の函などに貼る表示ラベルとしても採用可能である。
【００２７】
また、上記実施の形態では、路上などの現場において表示ラベル１に対し、図示省略の印字装置にて違反状況などの可変情報を印字する例で説明したがこれに限定されないことは勿論であり、手書きにて可変情報を書き込むことも可能である。
【図面の簡単な説明】
【００２８】
【図１】本発明の一実施の形態による表示ラベルを表示面より見た概略説明図である。
【図２】同、裏面の台紙側より見た概略説明図である。
【図３】同、図２中、矢示ＩＩＩ−ＩＩＩ線に沿う概略断面図である。
【図４】同、図２中、矢示ＩＶ−ＩＶ線に沿う概略断面図である。
【図５】同、図２中、矢示Ｖ−Ｖ線に沿う概略断面図である。
【図６】同、可変情報を印字した図１相当の表示ラベルを表示面より見た概略説明図である。
【図７】同、第１の実施の形態の貼付け方法の使用状態を示す、裏面の台紙側より見た概略説明図である。
【図８】同、第１の実施の形態の使用状態を示す裏面の台紙側より見た概略説明図である。
【図９】同、図８の表示ラベルを表示面より見た概略説明図である。
【図１０】同、第２の実施の形態の使用状態を示す裏面の台紙側より見た概略説明図である。
【図１１】同、第３の実施の形態の使用状態を示す裏面の台紙側より見た概略説明図である。
【符号の説明】
【００２９】
Ｓ、Ｓ１〜Ｓ５    スリット
Ｐ、Ｐ１〜Ｐ５    切離し部
Ｒ、Ｒ１、Ｒ２    折返し部
Ｍ、Ｍ１、Ｍ２    ミシン目
１    表示ラベル
２    台紙
３    ラベル本体
３ａ  第一のラベル本体
３ｂ  第二のラベル本体
４    プレ印刷された文字
５    プレ印刷されたマーク
６    可変情報の印刷エリア
６ａ  標章番号
６ｂ  登録車両番号
６ｃ  バーコード
６ｄ  管轄警察署名
６ｅ  取扱者
６ｆ  電話番号
６ｇ  違反状況
７    離型剤層
８    粘着剤層
９    折曲げガイド線
１０、１２、１３  メッセージ部（注意告知文）
１１  非粘着部
１４  識別マーク
【図１】
2007094162.tif 000003
【図２】
2007094162.tif 000004
【図３】
2007094162.tif 000005
【図４】
2007094162.tif 000006
【図５】
2007094162.tif 000007
【図６】
2007094162.tif 000008
【図７】
2007094162.tif 000009
【図８】
2007094162.tif 000010
【図９】
2007094162.tif 000011
【図１０】
2007094162.tif 000012
【図１１】
2007094162.tif 000013